(57)【要約】【課題】乾燥運転において、空調対象者に対して不快感を与えにくくすることができる空気調和機の提供。【解決手段】空気調和機１００は、室内ファン６と、室内熱交換器５とを内部に収納する室内機１を有し、室内熱交換器５を吸熱器として機能させる冷房運転と、冷房運転の後に室内機１の内部を乾燥させるための内部クリーン運転とを少なくとも行う空気調和機であって、冷房運転の運転制御を行う通常運転制御部６２と、内部クリーン運転の運転制御を行う内部クリーン運転制御部６３とを備える。また、内部クリーン運転制御部６３は、室内ファン６を所定風量で稼働させる状態である強送風状態、室内ファン６を前記所定風量よりも小さい風量で稼働させる状態である弱送風状態、室内熱交換器５を放熱器として機能させる状態である第１暖房状態の順に状態を切り換える。【選択図】図５
2009299983.tif 000002
【特許請求の範囲】
【請求項１】
送風機（６）と室内熱交換器（５）とを内部に収納する室内機（１）を有し、前記室内熱交換器を吸熱器として機能させる冷房運転と、前記冷房運転の後に前記室内機の内部を乾燥させるための乾燥運転とを少なくとも行う空気調和機であって、
前記冷房運転の運転制御を行う通常運転制御部（６２）と、
前記乾燥運転の運転制御を行う乾燥運転制御部（６３）と、を備え、
前記乾燥運転制御部は、前記送風機を所定風量で稼働させる強送風状態（Ｆ１）、前記送風機を前記所定風量よりも小さい風量で稼働させる弱送風状態（Ｆ２）、前記室内熱交換器を放熱器として機能させる第１暖房状態（Ｈ１）の順に状態を切り換える、
空気調和機（１００）。
【請求項２】
前記乾燥運転制御部は、前記第１暖房状態に切り換える以前に、前記送風機の稼働および前記室内熱交換器の機能を第１所定時間停止させる第１停止状態（Ｓｔ１）に状態を切り換える、
請求項１に記載の空気調和機。
【請求項３】
前記乾燥運転制御部は、前記強送風状態、前記第１停止状態、前記弱送風状態の順に状態を切り換える、
請求項２に記載の空気調和機。
【請求項４】
前記乾燥運転制御部は、前記弱送風状態、前記送風機の稼働および前記室内熱交換器の機能を第２所定時間停止させる第２停止状態（Ｓｔ２）、前記第１暖房状態の順に状態を切り換える、
請求項３に記載の空気調和機。
【請求項５】
前記乾燥運転制御部は、前記第１暖房状態から、前記送風機の稼働および前記室内熱交換器の機能を前記第１所定時間よりも長い第３所定時間停止させる第３停止状態（Ｓｔ３）に状態を更に切り換える、
請求項２から４のいずれかに記載の空気調和機。
【請求項６】
前記乾燥運転制御部は、前記第３停止状態から、第１送風状態（Ｆ３，Ｆ４）、前記送風機の稼働および前記室内熱交換器の機能を第４停止時間停止させる第４停止状態（Ｓｔ４，Ｓｔ５）の順に状態を更に切り換える、
請求項５に記載の空気調和機。
【請求項７】
前記乾燥運転制御部は、前記第４停止状態から、前記送風機を稼働させ、かつ、前記室内熱交換器を放熱器として機能させる第２暖房状態（Ｄ１）に更に切り換える、
請求項６に記載の空気調和機。
【発明の詳細な説明】
【技術分野】
【０００１】
本発明は、室内機内部を乾燥する機能を有する空気調和機に関する。
【背景技術】
【０００２】
従来より、空気調和機において冷房運転または除湿運転（以下、冷房運転という）が行われると、室内機内部が高温高湿状態となり、カビや細菌が繁殖しやすい環境となることが知られている。
【０００３】
そこで、近年では、冷房運転が行われた後、室内機内部を乾燥させるための乾燥運転が行われる空気調和機がある。
【０００４】
例えば、冷房運転が行われた後に、室内熱交換器に付着した水分を除去するための水切り運転（送風運転および断続的な暖房運転）が行われ、その後乾燥運転として暖房運転が行われる空気調和機がある（特許文献１参照）。この空気調和機では、乾燥運転の前に水切り運転を行うことによって、室内機内部の水分を除去することができる。このため、この空気調和機では、室内機内部の湿度を更に低下させることができる。これによって、室内機内部におけるカビや細菌の繁殖を抑制している。
【特許文献１】特開平１１−２１１１８４号公報
【発明の開示】
【発明が解決しようとする課題】
【０００５】
ところで、この空気調和機では、水切り運転および乾燥運転において、室内機内部から室内に弱風量で空気が吹き出されている。このため、水切り運転または乾燥運転において、室内機内部から室内への空気の吹き出しが長時間続くことによって、空調対象者に対して不快感を与えるおそれがある。
【０００６】
そこで、本発明の課題は、乾燥運転において、空調対象者に対して不快感を与えにくくすることができる空気調和機を提供することにある。
【課題を解決するための手段】
【０００７】
第１発明に係る空気調和機は、送風機と、室内熱交換器とを内部に収納する室内機を有し、室内熱交換器を吸熱器として機能させる冷房運転と、冷房運転の後に室内機の内部を乾燥させるための乾燥運転とを少なくとも行う空気調和機であって、通常運転制御部と、乾燥運転制御部とを備える。通常運転制御部は、冷房運転の運転制御を行う。乾燥運転制御部は、乾燥運転の運転制御を行う。また、乾燥運転制御部は、強送風状態、弱送風状態、第１暖房状態の順に状態を切り換える。強送風状態とは、送風機を所定風量で稼働させる状態である。弱送風状態とは、送風機を前記所定風量よりも小さい風量で稼働させる状態である。第１暖房状態とは、室内熱交換器を放熱器として機能させる状態である。
【０００８】
第１発明に係る空気調和機では、乾燥運転において、強送風状態、弱送風状態、第１暖房状態の順に状態が切り換えられている。強送風状態では、室内機内部に存在する水分を吹き飛ばすことができる。このため、室内機内部の水分を短時間で除去することができる。
【０００９】
また、弱送風状態では、室内機内部の温度を室内の温度に近づけることができる。さらに、第１暖房状態では、強送風状態において吹き飛ばすことができなかった室内機内部の水分を除去することができる。このため、第１暖房状態において、室内機内部の温度の急激な上昇を抑えることができる。したがって、第１暖房状態における室内機内部からの湯気の発生を抑えることができる。さらに、乾燥運転が行われた後に室内機内部の温度が再び下がることによる結露の発生を抑えることができる。
【００１０】
これによって、乾燥運転において、空調対象者に対して不快感を与えにくくすることができる。
【００１１】
なお、ここでいう所定風量とは、冷房運転時の風量と同等の風量でもよく、冷房運転時の風量よりも大きい風量でもよい。
【００１２】
第２発明に係る空気調和機は、第１発明の空気調和機であって、乾燥運転制御部は、第１暖房状態に切り換える以前に、送風機の稼働および室内機の機能を第１所定時間停止させる第１停止状態に状態を切り換える。第１停止状態では、室内熱交換器を含む室内機内部に収納されている各種機器の水分が滴下し難い部分において、水分を滴下させやすくすることができる。
【００１３】
これによって、室内機内部の水分を除去することができる。
【００１４】
第３発明に係る空気調和機は、第２発明の空気調和機であって、乾燥運転制御部は、強送風状態、第１停止状態、弱送風状態の順に状態を切り換える。このため、強送風状態において吹き飛ばすことができなかった室内機内部の水分の滴下を、第１停止状態において促すことができる。
【００１５】
これによって、室内機内部の水分を更に除去することができる。
【００１６】
第４発明に係る空気調和機は、第３発明の空気調和機であって、乾燥運転制御部は、弱送風状態、第２停止状態、第１暖房状態の順に状態を切り換える。第２停止状態とは、送風機の稼働、および、室内熱交換器の機能を第２所定時間停止させる状態である。
【００１７】
第４発明に係る空気調和機では、弱送風状態から、第２停止状態、第１暖房状態に状態が切り換えられている。このため、強送風状態、第１停止状態、および、弱送風状態において除去することができなかった室内機内部の水分の滴下を、第２停止状態において促すことができる。また、第１暖房状態において、室内機内部の水分を更に除去することができる。
【００１８】
これによって、室内機内部の水分を更に除去することができる。
【００１９】
第５発明に係る空気調和機は、第２発明から第４発明のいずれかの空気調和機であって、乾燥運転制御部は、第１暖房状態から、第３停止状態に状態を更に切り換える。第３停止状態とは、送風機の稼働および室内熱交換器の機能を、第１所定時間よりも長い第３所定時間停止させる状態のことである。
【００２０】
第５発明に係る空気調和機では、第１暖房状態から第３停止状態に状態が切り換わる。このため、第１暖房状態において高温となった室内熱交換器から室内機内部に、第３所定時間、放熱および放湿が行われる。
【００２１】
これによって、より多くの水分を室内熱交換器から脱離させることができる。
【００２２】
第６発明に係る空気調和機は、第５発明に係る空気調和機であって、乾燥運転制御部は、第３停止状態から、第１送風状態、第４停止状態の順に状態を更に切り換える。第４停止状態とは、送風機の稼働および室内熱交換器の機能を第４所定時間停止させる状態のことである。このため、第１送風状態において室内機内部の水分を更に除去することができる。また、第４停止状態において、室内機内部に存在する水分の滴下を更に促すことができる。
【００２３】
これによって、室内機内部の水分を更に除去することができる。
【００２４】
なお、ここでいう第１送風状態とは、強送風状態または弱送風状態と同様の状態でもよく、強送風状態または弱送風状態とは異なる状態でもよい。
【００２５】
第７発明に係る空気調和機は、第６発明の空気調和機であって、乾燥運転制御部は、第４停止状態から、第２暖房状態に更に切り換える。第２暖房状態とは、送風機を稼働させ、かつ、室内熱交換器を放熱器として機能させる状態である。
【００２６】
第７発明に係る空気調和機では、乾燥運転において、送風機を稼働させ、かつ、室内熱交換器を放熱器として機能させる第２暖房状態に切り換わる。このため、室内機内部の湿度を急激に下げることができる。
【００２７】
これによって、カビや細菌の繁殖を効率よく抑制することができる。
【発明の効果】
【００２８】
第１発明に係る空気調和機では、乾燥運転において、空調対象者に対して不快感を与えにくくすることができる。
【００２９】
第２発明に係る空気調和機では、室内機内部の水分を除去することができる。
【００３０】
第３発明に係る空気調和機では、室内機内部の水分を更に除去することができる。
【００３１】
第４発明に係る空気調和機では、室内機内部の水分を更に除去することができる。
【００３２】
第５発明に係る空気調和機では、より多くの水分を室内熱交換器から脱離させることができる。
【００３３】
第６発明に係る空気調和機では、室内機内部の水分を更に除去することができる。
【００３４】
第７発明に係る空気調和機では、カビや細菌の繁殖を効率よく抑制することができる。
【発明を実施するための最良の形態】
【００３５】
＜空気調和機の概略＞
本発明の一実施形態に係る空気調和機１００の概略冷媒回路を図１に示す。この空気調和機１００は、室内機１と室外機２０とから構成されており、冷房運転、除湿運転、および、暖房運転等を含む通常運転の他に内部クリーン運転（乾燥運転に相当）を行うことができる。なお、内部クリーン運転とは、室内機１内部を乾燥させるために後述する室内ファン６や室内熱交換器５の水分を除去する運転であり、室内熱交換器５に付着している水分を吹き飛ばしたり、または、室内熱交換器５に付着している水分を滴下させたり、室内機１内部の水分を蒸発させたりして行われる運転である。また、本実施形態では、内部クリーン運転は、室内熱交換器５に付着している水分を吹き飛ばすための強送風状態Ｆ１，Ｆ３と、室内熱交換器５に付着している水分を滴下させるための停止状態Ｓｔ１，Ｓｔ２，Ｓｔ４，Ｓｔ５と、室内機１内部の水分を蒸発させるための暖房状態（第１暖房状態に相当）Ｈ１およびドライショック状態（第２暖房状態に相当）Ｄ１とが組み合わされることによって行われている。
【００３６】
室内機１内には、室内ファン６および室内熱交換器５等が配置されている。また、室外機２０内には、圧縮機２４、室外ファン２２、室外熱交換器２１、四路切換弁２３および膨張弁２５等が収容されている。さらに、空気調和機１００は、室内機１内および室外機２０内に収容されている各種機器の制御を行う制御部６０（図４参照）を備えており、これら各種機器の制御を行うことによって、上記の運転を行うことができる。
【００３７】
以下に、室内機１および制御部６０について説明する。
【００３８】
＜室内機の構成＞
室内機１は、図２および図３に示すように、室内機本体１０と化粧パネル１１とを有している。室内機本体１０は、図３に示すように、天井の開口Ｏを臨むように天井裏空間に配置される。また、化粧パネル１１は、開口Ｏを挟んで後述する室内機本体１０の吸い込み側流路１２ａおよび吹き出し側流路１２ｂに対向するように室内機本体１０に装着されている。以下に、室内機本体１０および化粧パネル１１について説明する。
【００３９】
室内機本体１０は、図２および図３に示すように、室内機ケーシング２を有している。また、室内機ケーシング２は、図３に示すように、略直方体形状であり、下面が開口した箱状の形態を有している。さらに、室内機ケーシング２には、上述の室内ファン６、室内熱交換器５等が収容されている。
【００４０】
室内ファン６は、円筒形状に構成され、周面には回転軸方向に羽根が設けられている。室内ファン６は、回転駆動することによって、回転軸と交わる方向に空気流を生成する。このため、室内ファン６は、室内の空気を室内機１内に吸い込ませるとともに、室内熱交換器５との間で熱交換を行った後の空気を室内に吹き出させる。
【００４１】
室内熱交換器５は、長手方向両端で複数回折り返されてなる伝熱管と、伝熱管から挿通される複数のフィンとからなり、接触する空気との間で熱交換を行う。また、室内熱交換器５は、暖房運転時には放熱器として機能し、冷房運転時には吸熱器として機能する。
【００４２】
このように、室内機ケーシング２内には、吸い込まれた室内の空気が、室内熱交換器５との間で熱交換を行い、再び室内吹き出されるまでの空気流路が形成されている。また、この空気流路は、室内から吸い込まれた空気が室内熱交換器５に至るまでの流路部分である吸い込み側流路１２ａと、室内熱交換器５から室内ファン６を介して再び室内に吹き出されるまでの流路部分である吹き出し側流路１２ｂとから構成されている。
【００４３】
また、化粧パネル１１は、平面視において、室内機ケーシング２の天面よりも大きな略直方体形状の部材である。また、化粧パネル１１には、図２および図３に示すように、空気取込口３と空気吹出口４とが形成されている。
【００４４】
空気取込口３は、室内機本体１０の吸い込み側流路１２ａに一致する位置に配置される略長方形状の開口である。室内の空気は、室内ファン６によって空気取込口３から室内機ケーシング２の内側に取り込まれる。また、空気取込口３には空気取込口３を覆うことが可能なパネル１３が設けられている。パネル１３は、パネル駆動モータ（図示せず）によって回転されることで、空気取込口３を遮蔽または開放することができる。
【００４５】
空気吹出口４は、室内機本体１０の吹き出し側流路１２ｂに一致する位置に配置される略長方形状の開口である。また、また、空気吹出口４近傍には、空気吹出口４を覆うようにフラップ８が設けられている。フラップ８は、フラップモータ８ａ（図４参照）によって回転軸を中心に回転されることで、空気吹出口４を遮蔽または開放することができる。また、フラップ８は、空気吹出口４から室内に吹き出される空気の吹き出し方向を変更することができる。
【００４６】
＜制御部＞
制御部６０は、図４に示すように、通信部６１、室内ファン６、室内熱交換器５、フラップモータ８ａ、圧縮機２４、室外ファン２２、室外熱交換器２１、四路切換弁２３および膨張弁２５等の各種機器と接続されている。また、制御部６０は、通信制御部６１ａを備えている。通信制御部６１ａは、通信部６１が受信したリモコン５０から送信される運転開始や運転停止等の制御信号を取得する。また、リモコン５０は、ユーザが空気調和機１００を遠隔操作するための装置あって、ユーザからの指示を受け付けて赤外線等の無線手段により制御指令を通信部６１に送信する。
【００４７】
さらに、制御部６０は、通常運転制御部６２と、内部クリーン運転制御部６３とを備えている。通常運転制御部６２は、各種機器の動作制御を行うことで、空気調和機１００において冷房運転、暖房運転および除湿運転等を含む通常運転が行われるように、前記運転の運転制御を行う。例えば、ユーザからリモコン５０を介して冷房運転開始の制御指令を通信部６１が受信した場合、通信制御部６１ａは通信部６１が受信した制御指令を制御信号として取得する。そして、通信制御部６１ａが取得した制御信号に基づいて、通常運転制御部６２は、圧縮機２４等の各種機器の動作制御を行うことによって、冷房運転に応じた運転制御を行う。これによって、空気調和機１００において冷房運転が行われる。なお、このとき、室内熱交換器５は、上述のように吸熱器として機能している。
【００４８】
また、内部クリーン運転制御部６３は、各種機器の動作制御を行うことで、空気調和機１００において内部クリーン運転が行われるように、内部クリーン運転の運転制御を行う。なお、本実施形態では、内部クリーン運転は、冷房運転または除湿運転が行われた後に、自動的に行われる。
【００４９】
また、内部クリーン運転制御部６３は、室内ファン６の回転数を制御する風量調節部６４を有している。風量調節部６４は、室内ファン６の回転を制御することによって、内部クリーン運転において室内機１内から室内に吹き出される空気の風量を調整する。
【００５０】
さらに、内部クリーン運転制御部６３は、図５に示すように、内部クリーン運転において、強送風状態Ｆ１，Ｆ３と、弱送風状態Ｆ２，Ｆ４と、暖房状態Ｈ１と、停止状態Ｓｔ１，Ｓｔ２，Ｓｔ３，Ｓｔ４，Ｓｔ５と、ドライショック状態Ｄ１とを切り換える。
【００５１】
強送風状態Ｆ１，Ｆ３では、内部クリーン運転制御部６３が、フラップ８の傾斜角度が所定の角度（例えば、１０度）となるように、フラップモータ８ａの動作制御を行う。また、強送風状態Ｆ１，Ｆ３では、風量調節部６４が、通常運転時に室内ファン６によって生成される風量よりも大きい風量となるように、室内ファン６の回転を制御する。なお、ここでいう所定の角度とは、空気吹出口４から吹き出される空気がユーザに直接当たらない風向となるような角度である。
【００５２】
弱送風状態Ｆ２，Ｆ４では、内部クリーン運転制御部６３が、フラップ８の傾斜角度が所定の角度（例えば、１０度）となるように、フラップモータ８ａの動作制御を行う。また、弱送風状態Ｆ２，Ｆ４では、風量調節部６４が、通常運転時に室内ファン６によって生成される風量よりも小さい風量となるように、室内ファン６の回転を制御する。なお、ここでいう所定の角度とは、空気吹出口４から吹き出される空気がユーザに直接当たらない風向となるような角度である。
【００５３】
暖房状態Ｈ１では、内部クリーン運転制御部６３は、フラップ８が空気吹出口４を遮蔽している状態となるように、フラップモータ８ａを制御する。また、内部クリーン運転制御部６３は、圧縮機２４等の各種機器を制御することによって、冷媒回路に冷媒を循環させる。なお、このとき、室内熱交換器５は放熱器として機能している。また、暖房状態Ｈ１では、内部クリーン運転制御部６３によって室内ファン６の動作制御は行われず、室内ファン６は回転していない状態となっている。
【００５４】
停止状態Ｓｔ１，Ｓｔ２，Ｓｔ３，Ｓｔ４，Ｓｔ５では、内部クリーン運転制御部６３は、フラップ８が空気吹出口４を遮蔽している状態となるように、フラップモータ８ａを制御する。また、内部クリーン運転制御部６３は、駆動している各種機器の駆動を停止させる。なお、停止状態Ｓｔ１，Ｓｔ２，Ｓｔ３，Ｓｔ４，Ｓｔ５は、１０秒以上継続される。
【００５５】
ドライショック状態Ｄ１では、内部クリーン運転制御部６３は、フラップ８の傾斜角度が所定の角度（例えば、１０度）となるように、フラップモータ８ａの動作制御を行う。また、内部クリーン運転制御部６３は、圧縮機２４等の各種機器を制御することによって、冷媒回路に冷媒を循環させる。なお、このとき、室内熱交換器５は放熱器として機能している。さらに、風量調節部６４は、室内ファン６が所定の風量となるように、室内ファン６の回転を制御する。また、本実施形態では、ドライショック状態Ｄ１におけるフラップ８の傾斜角度と強送風状態Ｆ１，Ｆ３および弱送風状態Ｆ２，Ｆ４におけるフラップ８の傾斜角度とは、同一の角度であるが、これに限定されず、それぞれの状態におけるフラップ８の傾斜角度は異なっていてもよい。
【００５６】
＜内部クリーン運転制御部の制御動作＞
以下に、内部クリーン運転制御部６３の制御動作について説明する。なお、以下には、空気調和機１００において冷房運転が行われている場合を例として説明する。
【００５７】
通信制御部６１ａが通信部６１を介してリモコン５０等から冷房運転の運転停止の制御信号を取得した場合、通常運転制御部６２は各種機器を制御することで、空気調和機１００において冷房運転を停止させる。空気調和機１００において冷房運転が停止すると、内部クリーン運転制御部６３は、各種機器を制御することで、空気調和機１００において内部クリーン運転を開始させる。まず、内部クリーン運転制御部６３は、フラップモータ８ａを駆動させるとともに室内ファン６を駆動させることで、冷房運転が停止した状態から強送風状態Ｆ１に切り換える。そして、内部クリーン運転が開始されてから所定時間（例えば、３０秒）が経過すると、内部クリーン運転制御部６３は、強送風状態Ｆ１から停止状態Ｓｔ１に状態を切り換える。そして、強送風状態Ｆ１から停止状態Ｓｔ１に状態が切り換わった時から所定時間（例えば、３０秒）が経過すると、内部クリーン運転制御部６３は、停止状態Ｓｔ１から弱送風状態Ｆ２に状態を切り換える。また、停止状態Ｓｔ１から弱送風状態Ｆ２に切り換わった時から所定時間（例えば、１０分）が経過すると、内部クリーン運転制御部６３は、弱送風状態Ｆ２から停止状態Ｓｔ２に状態を切り換える。そして、弱送風状態Ｆ２から停止状態Ｓｔ２に状態が切り換わった時から所定時間（例えば、３０秒）が経過すると、内部クリーン運転制御部６３は、停止状態Ｓｔ２から暖房状態Ｈ１に状態を切り換える。また、停止状態Ｓｔ２から暖房状態Ｈ１に状態が切り換わった時から所定時間（例えば、２分）が経過すると、内部クリーン運転制御部６３は、暖房状態Ｈ１から停止状態Ｓｔ３に状態を切り換える。さらに、暖房状態Ｈ１から停止状態Ｓｔ３に状態が切り換わった時から所定時間（例えば、１０分）が経過すると、内部クリーン運転制御部６３は、停止状態Ｓｔ３から強送風状態Ｆ３に状態を切り換える。そして、停止状態Ｓｔ３から強送風状態Ｆ３に状態を切り換えた時から所定時間（例えば、３０秒）が経過すると、内部クリーン運転制御部６３は、強送風状態Ｆ３から停止状態Ｓｔ４に状態を切り換える。また、強送風状態Ｆ３から停止状態Ｓｔ４に状態を切り換えてから所定時間（例えば、３０秒）が経過すると、内部クリーン運転制御部６３は、停止状態Ｓｔ４から弱送風状態Ｆ４に状態を切り換える。そして、停止状態Ｓｔ４から弱送風状態Ｆ４に状態が切り換わった時から所定時間（例えば、１３分）が経過すると、内部クリーン運転制御部６３は、弱送風状態Ｆ４から停止状態Ｓｔ５に状態を切り換える。弱送風状態Ｆ４から停止状態Ｓｔ５に状態が切り換わった時から所定時間（例えば、３０秒）が経過すると、内部クリーン運転制御部６３は、停止状態Ｓｔ５からドライショック状態Ｄ１に状態を切り換える。そして、停止状態Ｓｔ５からドライショック状態Ｄ１に状態が切り換わった時から所定時間（例えば、１分）が経過すると、内部クリーン運転制御部６３は、各種機器を制御することによって、空気調和機における内部クリーン運転を停止させる。
【００５８】
なお、本実施形態では、内部クリーン運転制御部６３によって、強送風状態Ｆ１，Ｆ３と、弱送風状態Ｆ２，Ｆ４と、暖房状態Ｈ１と、停止状態Ｓｔ１，Ｓｔ２，Ｓｔ３，Ｓｔ４，Ｓｔ５と、ドライショック状態Ｄ１とが、上述した順に切り換えられているが、室内ファン６や室内熱交換器５の水分を除去することができるのであれば、これらの状態が任意に組み合わせた順に切り換えられてもよい。
【００５９】
＜特徴＞
（１）
従来より、空気調和機において冷房運転が行われると、室内機内部が高温高湿状態となり、カビや細菌が繁殖しやすい環境となることが知られている。
【００６０】
そこで、近年では、冷房運転が行われた後、室内機内部を乾燥させるための乾燥運転が行われる空気調和機がある。例えば、特開平１１−２１１１８４号公報に開示されている空気調和機では、冷房運転が行われた後に、室内熱交換器に付着した水分を除去するための水切り運転（送風運転および断続的な暖房運転）が行われ、その後乾燥運転として暖房運転が行われている。この空気調和機では、乾燥運転の前に水切り運転を行うことによって、室内機内部の水分を除去することができる。このため、この空気調和機では、室内機内部の湿度を更に低下させることができる。これによって、室内機内部におけるカビや細菌の繁殖を抑制することができる。
【００６１】
ところで、この空気調和機では、水切り運転および乾燥運転において、室内機内部から室内に弱風量で空気が吹き出されている。このため、水切り運転または乾燥運転において、室内機内部から室内への空気の吹き出しが長時間続くことによって、空調対象者に対して不快感を与えるおそれがある。
【００６２】
そこで、上記実施形態では、乾燥運転に相当する内部クリーン運転において、内部クリーン運転制御部６３は、強送風状態Ｆ１、弱送風状態Ｆ２、暖房状態Ｈ１の順に状態が切り換えられている。強送風状態Ｆ１では、室内機１内部に存在する水分を吹き飛ばすことができる。このため、内部クリーン運転において、強送風状態がない場合と比較して、室内機１内部の水分を短時間で除去することができる。
【００６３】
また、弱送風状態Ｆ２では、室内機１内部の温度を室内の温度に近づけることができる。さらに、暖房状態Ｈ１では、強送風状態Ｆ１において吹き飛ばすことができなかった室内機１内部の水分を除去することができる。このため、暖房状態Ｈ１において、室内機１内部の温度の急激な上昇を抑えることができる。したがって、暖房状態Ｈ１における室内機内部からの湯気の発生を抑えることができる。さらに、内部クリーン運転が行われた後に、室内機１内部の温度が再び低下することによる結露の発生を抑えることができる。
【００６４】
これによって、内部クリーン運転において、空調対象者に対して不快感を与えにくくすることができている。
【００６５】
（２）
上記実施形態では、内部クリーン運転において、内部クリーン運転制御部６３は、停止状態Ｓｔ１，Ｓｔ２，Ｓｔ４，Ｓｔ５に状態を切り換える。停止状態では、室内熱交換器５等の室内機１内部に収納されている各種機器の水分が滴下しにくい部分において、水分を滴下させやすくすることができる。
【００６６】
これによって、室内機１内部の水分を除去することができている。
【００６７】
（３）
上記実施形態では、内部クリーン運転において、内部クリーン運転制御部６３は、強送風状態Ｆ１、停止状態Ｓｔ１、弱送風状態Ｆ２の順に状態を切り換える。このため、強送風状態Ｆ１において吹き飛ばすことができなかった室内機１内部の水分の滴下を、停止状態Ｓｔ１において促すことができる。
【００６８】
これによって、室内機１内部の水分を更に除去することができている。
【００６９】
（４）
上記実施形態では、内部クリーン運転制御部６３は、弱送風状態Ｆ２、暖房状態Ｈ１、停止状態Ｓｔ２の順に状態を切り換える。このため、強送風状態Ｆ１、停止状態Ｓｔ１および弱送風状態Ｆ２において除去することができなかった室内機１内部の水分の滴下を、停止状態Ｓｔ２において促すことができる。また、暖房状態Ｈ１において、室内機１内部の水分を除去することができる。
【００７０】
これによって、室内機１内部の水分を更に除去することができている。
【００７１】
（５）
上記実施形態では、内部クリーン運転制御部６３は、暖房状態Ｈ１から停止状態Ｓｔ３に状態を切り換える。このため、暖房状態Ｈ１において高温となった室内熱交換器５から室内機１内部に放熱および放湿が行われる。
【００７２】
これによって、より多くの水分を室内熱交換器５から脱離させることができている。
【００７３】
（６）
上記実施形態では、内部クリーン運転制御部６３は、停止状態Ｓｔ３から、強送風状態Ｆ３、停止状態Ｓｔ４、弱送風状態Ｆ４、停止状態Ｓｔ５の順に状態を切り換える。このため、強送風状態Ｆ３、および、弱送風状態Ｆ４において、室内機１内部に存在する水分を更に除去することができる。また、停止状態Ｓｔ４、および、停止状態Ｓｔ５において、室内機１内部に存在する水分の滴下を更に促すことができる。
【００７４】
これによって、室内機１内部の水分を更に除去することができている。
【００７５】
（７）
上記実施形態では、内部クリーン運転制御部６３は、停止状態Ｓｔ５から、ドライショック状態Ｄ１に状態を切り換える。このため、室内機１内部の湿度を急激に下げることができる。
【００７６】
これによって、カビや細菌の繁殖を効率よく抑制することができている。
【００７７】
＜変形例＞
（Ａ）
上記実施形態では、内部クリーン運転において、暖房状態Ｈ１が所定時間（上記実施形態では、２分間）継続された後に、暖房状態Ｈ１から停止状態Ｓｔ３に状態が切り換えられている。
【００７８】
これに代えて、室内熱交換器の温度が所定温度に到達した場合に、暖房状態から停止状態に切り換えられてもよい。
【００７９】
これによって、室内機内部が必要以上に高温になるおそれを減らすことができる。
【００８０】
（Ｂ）
上記実施形態では、内部クリーン運転は、冷房運転または除湿運転が行われた後に、自動的に行われている。
【００８１】
これに代えて、冷房運転または除湿運転が行われた後に自動的に内部クリーン運転が開始されるか否かを、ユーザが選択することができるようにしてもよい。
【００８２】
このような空気調和機の例として、「自動運転設定」スイッチがリモコンに設けられている空気調和機について説明する。なお、この「自動運転設定」スイッチは、空気調和機において冷房運転または除湿運転が行われた後に、自動的に内部クリーン運転を開始するか否かをユーザが設定するためのスイッチである。このため、この空気調和機では、ユーザによって「自動運転設定」スイッチが押されている場合には、内部クリーン運転制御部によって、空気調和機において冷房運転または除湿運転の運転停止後に内部クリーン運転が開始されるように、各種機器の制御が行われる。また、ユーザによって「自動運転設定」スイッチが押されていない場合には、内部クリーン運転制御部による各種機器の制御は行われず、通常運転制御部によって各種機器が制御されることで、冷房運転または除湿運転が停止される。このため、冷房運転後または除湿運転後に、自動的に内部クリーン運転が開始されるか否かをユーザの好みに応じて設定することができる。
【００８３】
これによって、ユーザの快適性を向上させることができる。
【００８４】
また、このような空気調和機では、ユーザによって「自動運転設定」スイッチが押されていない場合では、内部クリーン運転が自動的に開始されないため、室内機内部の湿度が上昇し、カビや細菌が繁殖してしまうおそれがある。このため、内部クリーン運転が必要な場合には内部クリーン運転が必要な旨が報知されるように、報知部が設けられてもよい。また、報知部からは、内部クリーン運転が実行されている場合には、内部クリーン運転が行われている旨が報知されてもよい。
【００８５】
これによって、内部クリーン運転が実行されていること、または、内部クリーン運転が必要なことをユーザに認識させやすくすることができる。
【産業上の利用可能性】
【００８６】
本発明は、乾燥運転において、空調対象者に対して不快感を与えにくくすることができるため、空気調和機への適用が有効である。
【図面の簡単な説明】
【００８７】
【図１】本発明の実施形態に係る空気調和機の概略冷媒回路図。
【図２】室内機の概略斜視図（天井は省略）。
【図３】室内機の断面図（図２のIII−III断面に相当）。
【図４】本発明の実施形態に係る空気調和機の制御ブロック図。
【図５】内部クリーン運転制御部の制御動作を示す図。
【符号の説明】
【００８８】
１      室内機
５      室内熱交換器
６      室内ファン（送風ファン）
６２      通常運転制御部
６３      内部クリーン運転制御部（乾燥運転制御部）
１００      空気調和機
Ｄ１      ドライショック状態（第２暖房状態）
Ｆ１      強送風状態
Ｆ２      弱送風状態
Ｆ３      強送風状態（第１送風状態）
Ｆ４      弱送風状態（第１送風状態）
Ｈ１      暖房状態（第１暖房状態）
Ｓｔ１    停止状態（第１停止状態）
Ｓｔ２    停止状態（第２停止状態）
Ｓｔ３    停止状態（第３停止状態）
Ｓｔ４，Ｓｔ５  停止状態（第４停止状態）
【図１】
2009299983.tif 000003
【図２】
2009299983.tif 000004
【図３】
2009299983.tif 000005
【図４】
2009299983.tif 000006
【図５】
2009299983.tif 000007